(57)【特許請求の範囲】
【請求項１】
並設された遊技用玉貸機に投入された複数金種の紙幣を回収して収納する紙幣回収装置において、
紙幣が投入される紙幣投入口と、投入された前記紙幣の金種を鑑別する紙幣鑑別部と、を有し、鑑別された前記紙幣の金種の情報である金種情報を生成する紙幣受け入れ部と、
前記紙幣受け入れ部の出口側に配置され、前記紙幣を一時的に保留する一時保留部と、
保留された前記紙幣を回収する、識別マークが設けられた回収ユニットと、
前記一時保留部を通過するよう前記回収ユニットを搬送する搬送手段と、
前記一時保留部の近傍に配置され、前記回収ユニットによる前記紙幣の回収前に、前記識別マークの情報である識別マーク情報を読み取る紙幣回収読み取りセンサと、
前記紙幣回収読み取りセンサによって読み取られた前記識別マーク情報を前記金種情報と共に格納する金種識別マーク情報格納手段と、
前記回収ユニットの搬送経路の途中であって、前記回収ユニットによって回収された前記紙幣を収納する収納庫の紙幣搬送方向上流に配置され、前記回収ユニットの前記識別マーク情報を読み取る紙幣収納読み取りセンサと、
前記紙幣収納読み取りセンサによって読み取られた前記識別マーク情報を用いて、前記金種識別マーク情報格納手段によって格納された前記金種情報を抽出し、前記収納庫に収納される前記紙幣の金種を確定する収納紙幣金種確定手段と、
を有することを特徴とする紙幣回収装置。
【請求項２】
前記紙幣回収読み取りセンサによって前記回収ユニットの前記識別マーク情報が読み取れた場合にのみ、前記回収ユニットは前記一時保留部に保留された前記紙幣を回収することを特徴とする請求項１記載の紙幣回収装置。
【請求項３】
前記紙幣収納読み取りセンサによって前記回収ユニットの前記識別マーク情報が読み取れなかった場合に、前記紙幣収納読み取りセンサを通過した他の回収ユニットから読み取った他の識別マーク情報を用いて、前記識別マーク情報を決定することを特徴とする請求項１記載の紙幣回収装置。
【請求項４】
並設された遊技用玉貸機に投入された複数金種の紙幣を回収して収納する紙幣回収装置において、
紙幣が投入される紙幣投入口と、投入された前記紙幣の金種を鑑別する紙幣鑑別部と、を有し、鑑別された前記紙幣の金種の情報である金種情報を生成する紙幣受け入れ部と、
前記紙幣受け入れ部の出口側に配置され、前記紙幣を一時的に保留する一時保留部と、
前記紙幣受け入れ部で生成された前記金種情報を一時的に記憶するメモリと、
保留された前記紙幣を回収する回収ユニットと、
前記一時保留部を通過するよう前記回収ユニットを循環させて搬送する搬送手段と、
前記一時保留部の近傍に配置され、前記一時保留部に前記紙幣が保留されている場合、前記回収ユニットによる前記紙幣の回収時に、前記メモリの前記金種情報を前記回収ユニットに記録する金種情報記録手段と、
前記回収ユニットの搬送経路の途中であって、前記回収ユニットによって回収された前記紙幣を収納する収納庫の紙幣搬送方向上流に配置され、前記回収ユニットに記録された前記金種情報を読み取る金種情報読み取り手段と、
読み取られた前記金種情報を用いて、前記収納庫に収納される前記紙幣の金種を確定する収納紙幣金種確定手段と、
を有することを特徴とする紙幣回収装置。
【請求項５】
前記回収ユニットは、前記金種情報を書き込み読み出し可能なＩＣチップを有することを特徴とする請求項４記載の紙幣回収装置。
【請求項６】
前記回収ユニットは、前記金種情報を書き込み読み出し可能な磁気記録媒体を有することを特徴とする請求項４記載の紙幣回収装置。
【発明の詳細な説明】
【０００１】
【発明の属する技術分野】
本発明は紙幣回収装置に関し、特にパチンコホールなどにあって、並設された遊技用玉貸機に投入された複数金種の紙幣を回収して収納する紙幣回収装置に関する。
【０００２】
【従来の技術】
パチンコホールでは、パチンコ台やメダル台の横に、千円紙幣の投入と引き換えに、千円紙幣の投入枚数に応じた金額に相当する個数のパチンコ玉あるいはメダルを貸し出す遊技用玉貸機が設置されており、遊技用玉貸機は、店舗内に並設されたパチンコ台やメダル台の間に適宜、点在させて配置される。
【０００３】
このような遊技用玉貸機には、店舗内にある各遊技用玉貸機に投入された千円紙幣を回収し、収納庫に収納する紙幣回収装置が設けられており、従来、特開平５−６２０５４号公報に示される紙幣回収装置などが提案されている。
【０００４】
従来提案されている紙幣回収装置は、紙幣投入口から投入された千円紙幣を、各遊技用玉貸機が備える鑑別部にて真贋判定した後、一時保留部にて、回収されるまで一時的に保留する。さらに、この紙幣回収装置では、千円紙幣を回収するためのループ状に形成したチェーンまたはベルトが回転可能に配置されており、このチェーンまたはベルトには、一時保留部に保留されている紙幣を回収する回収ユニットが所定の間隔で配置されている。この回収ユニットは、チェーンまたはベルトの回転により搬送され、一時保留部を通過するようになっている。回収ユニットは、一時保留部の通過時に、保留されている千円紙幣がある場合には、その千円紙幣を回収し、保留されている千円紙幣がない場合には、そのまま一時保留部を通過する。そして、回収ユニットが収納庫の手前まで搬送されると、紙幣回収装置は、回収ユニット中の千円紙幣の有無をセンサで認識し、千円紙幣を含んだ回収ユニットの通過回数を計数する。店舗では、この千円紙幣の通過回数、すなわち千円紙幣の収納庫への入金回数から店舗の売上金額を集計する。
【０００５】
ところで、近年は千円紙幣以外の紙幣も受け入れ可能な遊技用玉貸機が提案されている。この場合、紙幣回収装置には、遊技用玉貸機に投入される際に紙幣の真贋および金種を鑑別する鑑別部に加え、その金種を確定して金種ごとに分別収納するために、あるいは閉店後の売上金額集計時に紙幣回収装置内での紙幣の滞留があるか否かを確認するために、搬送されてきた紙幣が収納庫に収納される前に、再度鑑別する再鑑別部が設けられる。
【０００６】
図３は従来の複数金種の取り扱いが可能な紙幣回収装置のブロック図である。紙幣回収装置１００には、各遊技用玉貸機において、紙幣が投入される紙幣投入口と、投入された紙幣の真贋および金種を鑑別する鑑別部とを有する紙幣受け入れ部１０１が設けられている。そして、この紙幣受け入れ部１０１の出口側には、投入された紙幣が回収されるまで一時的に保留される一時保留部１０２が設けられている。
【０００７】
また、紙幣回収装置１００は、例えば紙幣搬送用のチェーンまたはベルト１０３をループ状に形成して回転可能に配置した搬送手段を有し、このチェーンまたはベルト１０３には、一時保留部１０２に保留された紙幣を回収する回収ユニット１０４が所定の間隔で配置されている。回収ユニット１０４は、チェーンまたはベルト１０３の回転により搬送され、一時保留部１０２を順に通過し、そこに一時保留中の紙幣があれば、それを把持、回収する。
【０００８】
回収ユニット１０４の搬送経路の途中には、収納準備部１０５が配置されていて、回収ユニット１０４で回収された紙幣はここで開放される。さらに、収納準備部１０５の紙幣搬送方向下流には収納庫１０６が配置されていて、収納準備部１０５で開放された紙幣が収納される。また、収納準備部１０５と収納庫１０６との間には、収納庫１０６への収納前に紙幣の金種を確定するための鑑別を再度行う再鑑別部１０７が配置されている。再鑑別部１０７によって金種が確定された紙幣は、収納庫１０６に収納され、金種が確定されなかった紙幣は、収納庫１０６とは別に設けられた図示しないリジェクト庫に収納されるようになっている。
【０００９】
上記構成の紙幣回収装置１００において、紙幣受け入れ部１０１は、紙幣が投入されるたびに、鑑別部での鑑別結果に基づいて、投入された紙幣の金種の情報を、店舗のすべての紙幣受け入れ部と接続された図示しないホールコンピュータへ出力し、このホールコンピュータが売上金額を集計する。また、再鑑別部１０７で金種が確定され、収納庫１０６に収納された紙幣の枚数も、ホールコンピュータに出力され、売上金額の集計に利用される。
【００１０】
【発明が解決しようとする課題】
しかしながら、紙幣回収装置において、紙幣投入口から投入される紙幣および収納庫に収納される紙幣を共に鑑別する場合、収納される紙幣の金種を確定するための再鑑別部の追加によってコストが増加するとともに、再鑑別部の追加に伴って紙幣搬送路の構成が複雑化するという問題点があった。
【００１１】
また、収納庫への紙幣収納までに、鑑別部および再鑑別部で計２回鑑別し、鑑別部での鑑別結果および再鑑別部での鑑別結果が共にホールコンピュータで集計され、再鑑別部で金種が確定されなかった紙幣はリジェクト庫に収納されるので、鑑別部での鑑別結果による売上金額と、再鑑別部での鑑別結果による売上金額とが一致しない場合がある。例えば、再鑑別部での誤った金種判定がないよう金種確定精度を高めるためには、紙幣の状態によって、１〜５％の金種確定できない紙幣がリジェクト庫に収納されるようになる。
【００１２】
この場合、リジェクト庫に収納された紙幣の金種とその枚数とを手作業で集計し、その集計結果が、ホールコンピュータでの売上金額の差と合うか否かが確認される。したがって、リジェクト庫に収納された紙幣の手作業による集計に時間がかかるという問題点があり、場合によっては、紙幣回収装置内で紙幣が滞留していないかどうかの確認作業も必要となる。特に大きな店舗では、この集計に非常に多くの時間を要してしまう。
【００１３】
本発明はこのような点に鑑みてなされたものであり、構造を複雑化することなく、投入された紙幣を効率的に鑑別して回収する紙幣回収装置を提供することを目的とする。
【００１４】
【課題を解決するための手段】
本発明では上記問題を解決するために、並設された遊技用玉貸機に投入された複数金種の紙幣を回収して収納する紙幣回収装置において、紙幣が投入される紙幣投入口と、投入された紙幣の金種を鑑別する紙幣鑑別部と、を有し、鑑別された紙幣の金種の情報である金種情報を生成する紙幣受け入れ部と、紙幣受け入れ部の出口側に配置され、紙幣を一時的に保留する一時保留部と、保留された紙幣を回収する、識別マークが設けられた回収ユニットと、一時保留部を通過するよう回収ユニットを搬送する搬送手段と、一時保留部の近傍に配置され、回収ユニットによる紙幣の回収前に、識別マークの情報である識別マーク情報を読み取る紙幣回収読み取りセンサと、紙幣回収読み取りセンサによって読み取られた識別マーク情報を金種情報と共に格納する金種識別マーク情報格納手段と、回収ユニットの搬送経路の途中であって、回収ユニットによって回収された紙幣を収納する収納庫の紙幣搬送方向上流に配置され、回収ユニットの識別マーク情報を読み取る紙幣収納読み取りセンサと、紙幣収納読み取りセンサによって読み取られた識別マーク情報を用いて、金種識別マーク情報格納手段によって格納された金種情報を抽出し、収納庫に収納される紙幣の金種を確定する収納紙幣金種確定手段と、を有することを特徴とする紙幣回収装置が提供される。
【００１５】
このような紙幣回収装置によれば、紙幣受け入れ部が、投入された紙幣の金種を鑑別して金種情報を生成し、一時保留部が、その投入された紙幣を一時的に保留する。そして、搬送手段が、回収ユニットを搬送し、回収ユニットが、一時保留部を通過する際、保留されている紙幣を回収し、回収ユニットがさらに搬送されて紙幣が収納庫に収納される。
【００１６】
この回収ユニットには、あらかじめ識別マークが設けられていて、紙幣の回収前に、一時保留部の近傍に配置された紙幣回収読み取りセンサが、その回収ユニットの識別マークの情報である識別マーク情報を読み取る。そして、金種識別マーク情報格納手段が、この識別マーク情報と紙幣受け入れ部で生成された金種情報とを共に格納する。
【００１７】
回収ユニットがさらに搬送され、紙幣収納読み取りセンサに到達すると、その回収ユニットの識別マーク情報が読み取られ、収納紙幣金種確定手段が、紙幣収納読み取りセンサによって読み取られた識別マーク情報を用いて、金種識別マーク情報格納手段によって格納された金種情報を抽出し、収納庫に収納される紙幣の金種を確定する。
【００１８】
これにより、投入された紙幣の鑑別は、紙幣受け入れ部の紙幣鑑別部で行うのみで、紙幣回収後収納前に、紙幣を再鑑別しないので、複数金種を取り扱う紙幣回収装置に、新たに再鑑別のための鑑別機構を設ける必要がない。
【００１９】
また、本発明では上記問題を解決するために、並設された遊技用玉貸機に投入された複数金種の紙幣を回収して収納する紙幣回収装置において、紙幣が投入される紙幣投入口と、投入された紙幣の金種を鑑別する紙幣鑑別部と、を有し、鑑別された紙幣の金種の情報である金種情報を生成する紙幣受け入れ部と、紙幣受け入れ部の出口側に配置され、紙幣を一時的に保留する一時保留部と、紙幣受け入れ部で生成された金種情報を一時的に記憶するメモリと、保留された紙幣を回収する回収ユニットと、一時保留部を通過するよう回収ユニットを循環させて搬送する搬送手段と、一時保留部の近傍に配置され、一時保留部に紙幣が保留されている場合、回収ユニットによる紙幣の回収時に、メモリの金種情報を回収ユニットに記録する金種情報記録手段と、回収ユニットの搬送経路の途中であって、回収ユニットによって回収された紙幣を収納する収納庫の紙幣搬送方向上流に配置され、回収ユニットに記録された金種情報を読み取る金種情報読み取り手段と、読み取られた金種情報を用いて、収納庫に収納される紙幣の金種を確定する収納紙幣金種確定手段と、を有することを特徴とする紙幣回収装置が提供される。
【００２０】
このような紙幣回収装置によれば、紙幣受け入れ部が、投入された紙幣の金種を鑑別して金種情報を生成し、一時保留部が、その投入された紙幣を一時的に保留し、メモリが、紙幣受け入れ部で生成された金種情報を一時的に記憶する。そして、搬送手段が、回収ユニットを搬送し、回収ユニットが、一時保留部を通過する際、保留されている紙幣を回収し、回収ユニットがさらに搬送されて紙幣が収納庫に収納される。
【００２１】
ここで、保留された紙幣の回収時に、一時保留部の近傍に配置された金種情報記録手段が、紙幣を回収する回収ユニットに、紙幣受け入れ部によって生成され、メモリに記憶された金種情報を記録する。
【００２２】
回収ユニットがさらに搬送されると、紙幣の収納庫への収納前に、金種情報読み取り手段が、その回収ユニットの金種情報を読み取り、収納紙幣金種確定手段が、この読み取った金種情報を用いて、収納庫に収納される紙幣の金種を確定する。
【００２３】
これにより、投入された紙幣の鑑別は、紙幣受け入れ部の紙幣鑑別部で行うのみで、紙幣回収後収納前に、紙幣を再鑑別しないので、複数金種を取り扱う紙幣回収装置に、新たに再鑑別のための鑑別機構を設ける必要がない。
【００２４】
【発明の実施の形態】
以下、本発明の実施の形態を図面を参照して説明する。
図１は第１の実施の形態に係る紙幣回収装置のブロック図である。
【００２５】
紙幣回収装置１は、遊技用玉貸機２のそれぞれにおいて、紙幣が投入される紙幣投入口と、投入された紙幣の真贋および金種を鑑別する紙幣鑑別部とを有する紙幣受け入れ部３を有している。この紙幣受け入れ部３の出口側には、投入された紙幣を一時的に保留する一時保留部４が配置されている。
【００２６】
また、紙幣回収装置１は、ループ状に形成されて図中反時計回りに回転可能に配置された紙幣搬送用のチェーンまたはベルト５を有していて、これにより紙幣回収装置１の搬送手段が構成されている。このチェーンまたはベルト５には、一時保留部４に保留された紙幣を回収する回収ユニット６が所定の間隔で配置されていて、回収ユニット６は、チェーンまたはベルト５の回転により搬送され、各一時保留部４を順に通過するようになっている。
【００２７】
チェーンまたはベルト５によって搬送される回収ユニット６の搬送経路の途中には、回収ユニット６によって回収されてきた紙幣が開放され、その紙幣の搬送方向が調整される収納準備部７が配置されている。さらに、収納準備部７の出口側には、収納準備部７から搬送される紙幣を収納する収納庫８が配置されている。
【００２８】
本形態の紙幣回収装置１では、各回収ユニット６またはその付近に、あらかじめ個体識別可能な識別マーク９がそれぞれ設けてある。そして、一時保留部４の近傍には、それらの識別マーク９の情報である識別マーク情報を読み取る紙幣回収読み取りセンサ１０が配置され、さらに、収納準備部７の入口側には、識別マーク情報を読み取る紙幣収納読み取りセンサ１１が配置されている。この識別マーク９は、紙幣回収読み取りセンサ１０および紙幣収納読み取りセンサ１１によって識別可能なものであればよい。各識別マーク９は、各回収ユニット６を識別するとともに、チェーンまたはベルト５における配置の順番を定める番地としての機能を有している。
【００２９】
さらに、紙幣回収装置１は、全体の動作処理を制御する図示しない制御部を有していて、この制御部には、各回収ユニット６の識別マーク情報が格納されたメモリが設けられている。また、この制御部には、各紙幣鑑別部で鑑別された紙幣の金種の情報である金種情報と紙幣回収読み取りセンサ１０で読み取った識別マーク情報とを随時格納可能なメモリが設けられていて、これにより紙幣回収装置１の金種識別マーク情報格納手段が構成されている。さらに、制御部は、紙幣収納読み取りセンサ１１で読み取った識別マーク情報を用いて、紙幣回収読み取りセンサ１０で読み取った識別マーク情報と金種情報とが格納されたメモリから金種情報を抽出し、その金種情報から、回収ユニット６によって回収されて収納庫８に収納される紙幣の金種を確定する機能を有しており、これにより紙幣回収装置１の収納紙幣金種確定手段が構成されている。
【００３０】
以上の構成の紙幣回収装置１において、遊技用玉貸機２の紙幣投入口から投入された紙幣は、紙幣鑑別部にて真贋および金種が鑑別される。そして、紙幣受け入れ部３が、その紙幣の金種情報を生成し、これを制御部のメモリに格納するとともに、その紙幣を一時保留部４で一時的に保留する。ここで、メモリに格納された金種情報は、店舗のすべての紙幣受け入れ部３と接続されている図示しないホールコンピュータに出力されて各遊技用玉貸機２の売上金額の集計に利用される。なお、金種情報のホールコンピュータへの出力は、電気通信回線を通じて、あるいは、電波によって行うことができる。
【００３１】
次いで、チェーンまたはベルト５の回転により回収ユニット６が搬送され、回収ユニット６が一時保留部４を通過する際、そこに一時保留中の紙幣があれば、一時保留部４はその紙幣を回収ユニット６に受け渡し、回収ユニット６は、その紙幣を回収する。ここで、一時保留部４の近傍に設けられた紙幣回収読み取りセンサ１０は、一時保留中の紙幣が回収される前に、通過する回収ユニット６の識別マーク情報を読み取る。そして、紙幣回収装置１は、回収される紙幣についての金種情報と、読み取った識別マーク情報とを関連付けて制御部のメモリに格納する。
【００３２】
回収ユニット６が一時保留部４を通過する際、そこに一時保留中の紙幣がない場合には、回収ユニット６は、そのままその一時保留部４を通過する。
また、万一、紙幣回収読み取りセンサ１０によって回収ユニット６の識別マーク情報を読み取ることができなかった場合には、一時保留部４は紙幣を回収ユニット６に受け渡さないよう構成されている。すなわち、一時保留部４は、紙幣回収読み取りセンサ１０によって識別マーク情報を読み取ることができた回収ユニット６のみを有効と判断し、一時保留中の紙幣を受け渡す。
【００３３】
一時保留部４から回収ユニット６への紙幣受け渡し後、チェーンまたはベルト５により回収ユニット６がさらに搬送され、紙幣を回収した回収ユニット６が収納準備部７の入口側に設けられた紙幣収納読み取りセンサ１１に到達すると、この回収ユニット６の識別マーク情報が読み取られる。紙幣回収装置１では、紙幣収納読み取りセンサ１１で読み取られた識別マーク情報を用いて、メモリに格納されている識別マーク情報と関連付けられて格納されている金種情報を抽出し、その金種情報から、その回収ユニット６によって回収されて収納庫８に収納される紙幣の金種を確定する。また、ここで抽出された金種情報は、ホールコンピュータに出力され、回収金額の集計に利用される。
【００３４】
最後に、回収ユニット６の読み取りセンサ１１の通過後、回収されてきた紙幣が、収納準備部７で開放され、金種ごとに搬送方向の調整が行われた後、収納庫８へ搬送され分別収納される。
【００３５】
このような紙幣回収装置１によれば、紙幣受け入れ部３の紙幣鑑別部で鑑別された紙幣の金種情報と、その紙幣を回収する回収ユニット６の識別マーク情報とが、関連付けられてメモリに格納され、収納庫８に収納される前に、その紙幣を回収してきた回収ユニット６の識別マーク情報を読み取ることにより、その紙幣の金種を確定するので、紙幣の鑑別は１回だけである。したがって、回収ユニット６による紙幣回収後で収納庫８への紙幣収納前における再鑑別が必要なく、複数金種を取り扱う紙幣回収装置１に再鑑別のための鑑別機構を設ける必要がないので、紙幣回収装置１の構造を複雑化することなく、複数の金種を効率的に鑑別して回収することができる。
【００３６】
さらに、このような紙幣回収装置１では、紙幣受け入れ部３が生成する金種情報を用いて集計される売上金額と、収納庫８に収納されている紙幣の回収金額とが一致するので、店舗閉店後の集計作業を軽減し、作業の効率化が図られる。
【００３７】
回収ユニット６の識別マーク９の識別は、異なる金種の紙幣を識別するのとは異なり、より高い識別率で識別することができる。また、万一、紙幣回収読み取りセンサ１０あるいは紙幣収納読み取りセンサ１１において識別マーク情報を読み取ることができなかった場合であっても、各識別マーク９は、チェーンまたはベルト５における配置の順番を定める番地としての機能を有しているので、紙幣回収読み取りセンサ１０あるいは紙幣収納読み取りセンサ１１をすでに通過した別の回収ユニット６の識別マーク情報を用いて補間することにより、現在通過する回収ユニット６の識別マーク情報を決定することができる。
【００３８】
次に第２の実施の形態について説明する。
図２は第２の実施の形態に係る紙幣回収装置のブロック図である。
本形態の紙幣回収装置１ａは、回収ユニット６ａに、第１の実施の形態で述べた識別マーク９、識別マーク情報を読み取る紙幣回収読み取りセンサ１０および紙幣収納読み取りセンサ１１を有しておらず、紙幣受け入れ部３で生成された金種情報を回収ユニット６ａに記録する金種情報記録装置１２と、収納庫８への紙幣の収納前に回収ユニット６ａに書き込まれている金種情報を読み取る金種情報読み取り装置１３とを有している。この金種情報記録装置１２によって紙幣回収装置１ａの金種情報記録手段が構成され、金種情報読み取り装置１３によって紙幣回収装置１ａの金種情報読み取り手段が構成されている。さらに、紙幣回収装置１ａは、金種情報読み取り装置１３によって読み取られた金種情報を用いて、回収ユニット６ａによって回収されて収納庫８に収納される紙幣の金種を確定する機能を有していて、これにより紙幣回収装置１の収納紙幣金種確定手段が構成されている。その他の構成は第１の実施の形態の紙幣回収装置１と同じである。
【００３９】
本形態の紙幣回収装置１ａの回収ユニット６ａには、例えばＩＣチップ６ｂが設けられている。そして、一時保留部４の近傍には、ＩＣチップ６ｂに対して金種情報を記録する金種情報記録装置１２が配置されている。さらに、収納準備部７の入口側には、ＩＣチップ６ｂに記録されている金種情報を読み取る金種情報読み取り装置１３が配置されている。
【００４０】
上記構成の紙幣回収装置１ａにおいて、遊技用玉貸機２の紙幣投入口に紙幣が投入されると、紙幣受け入れ部３がその紙幣を鑑別して金種情報を生成し、その金種情報をメモリに格納する。この金種情報は、店舗のすべての紙幣受け入れ部３と接続されている図示しないホールコンピュータに出力されて各遊技用玉貸機２の売上金額の集計に用いられる。また、鑑別後の紙幣は一時保留部４で一時的に保留される。
【００４１】
そして、この一時保留部４に回収ユニット６ａが到達すると、金種情報記録装置１２が、その回収ユニット６ａに設けられたＩＣチップ６ｂに、メモリに格納されている金種情報を書き込んで記録する。また、ＩＣチップ６ｂに以前の金種情報が記録されている場合には、それを更新して記録する。
【００４２】
回収ユニット６ａがさらに搬送され、収納準備部７の入口側に配置された金種情報読み取り装置１３に到達すると、金種情報読み取り装置１３が、ＩＣチップ６ｂに記録されている金種情報を読み取る。
【００４３】
紙幣回収装置１ａは、金種情報読み取り装置１３によって読み取られた金種情報から、回収ユニット６ａによって回収されて収納庫８に収納される紙幣の金種を確定し、その紙幣を収納庫８へ収納する。また、読み取られた金種情報は、ホールコンピュータに出力され、収納庫８への回収金額の集計に利用される。
【００４４】
このような紙幣回収装置１ａによれば、紙幣の鑑別は紙幣受け入れ部３で行われる１回だけである。したがって、回収ユニット６ａによる紙幣回収後収納前の再鑑別が必要なく、複数金種を取り扱う紙幣回収装置に再鑑別のための鑑別機構を設ける必要がないので、紙幣回収装置１ａの構造を複雑化することなく、複数の金種を効率的に鑑別して回収することができる。
【００４５】
なお、上記の説明では、回収ユニット６ａにＩＣチップ６ｂを設ける構成としたが、ＩＣチップ６ｂに替えて、磁気記録媒体を用いる構成としてもよい。この場合、金種情報記録装置１２は、金種情報を磁気情報として、回収ユニット６ａに設けられた磁気記録媒体に記録し、金種情報読み取り装置１３は、回収ユニット６ａに記録されている磁気情報を読み出すように構成される。
【００４６】
【発明の効果】
以上説明したように、本発明では、紙幣回収装置を、投入された紙幣を紙幣受け入れ部の紙幣鑑別部で鑑別して金種情報を生成し、回収ユニットによる紙幣の回収前に識別マーク情報を読み取って金種情報と共に格納し、紙幣が収納庫に収納される前に、回収ユニットの識別マーク情報を読み取り、この識別マーク情報を用いて、格納されている金種情報を抽出し、収納庫に収納される紙幣の金種を確定する構成にした。
【００４７】
また、本発明では、紙幣回収装置を、投入された紙幣を紙幣受け入れ部の紙幣鑑別部で鑑別して金種情報を生成し、回収ユニットによる紙幣の回収時にこの金種情報をその回収ユニットに記録し、紙幣が収納庫に収納される前に、回収ユニットに記録された金種情報を読み取り、この読み取った金種情報から、収納庫に収納される紙幣の金種を確定する構成にした。
【００４８】
これにより、投入された紙幣の鑑別は１回だけ行えばよく、複数金種を取り扱う紙幣回収装置に、紙幣の回収後収納前に再鑑別するための鑑別機構を設ける必要がないので、紙幣回収装置の構造を複雑化することなく、複数の金種を効率的に鑑別して回収することができる。さらに、紙幣受け入れ部が生成する金種情報を用いて集計される売上金額と、収納庫に収納されている紙幣の回収金額とが一致するので、店舗閉店後の集計作業を軽減し、作業の効率化が図られる。
【図面の簡単な説明】
【図１】第１の実施の形態に係る紙幣回収装置のブロック図である。
【図２】第２の実施の形態に係る紙幣回収装置のブロック図である。
【図３】従来の複数金種の取り扱いが可能な紙幣回収装置のブロック図である。
【符号の説明】
１  紙幣回収装置
２  遊技用玉貸機
３  紙幣受け入れ部
４  一時保留部
５  チェーンまたはベルト
６  回収ユニット
７  収納準備部
８  収納庫
９  識別マーク
１０  紙幣回収読み取りセンサ
１１  紙幣収納読み取りセンサ
【図１】
0004442060.tif 000002
【図２】
0004442060.tif 000003
【図３】
0004442060.tif 000004